(57)【要約】【課題】手動スイッチと無線スイッチ機能を共有し、新たな電源線を配線しなくとも電池作動が可能で、また既存のスイッチボックスに容易に後付けできる照明制御スイッチを提供する。【解決手段】１つの固定接点および２つの可動接点をそれぞれ有する２個のスイッチＡおよびスイッチＢから構成される３路スイッチが１個のスイッチボックスに内蔵されて、３路スイッチの一方を手動式スイッチとし、他方を無線で制御できる２巻きラッチングリレーとする。【選択図】図３
2018129160.tif 000002
【特許請求の範囲】
【請求項１】
２個のスイッチＡおよびスイッチＢから構成される３路スイッチが１個のスイッチボックスに内蔵されている照明制御スイッチであって、
前記３路スイッチの一方を手動式スイッチとし、他方を無線で制御できる２巻きラッチングリレーとすることを特徴とする照明制御スイッチ。
【請求項２】
前記スイッチＡが１つの固定接点ａ１および２つの可動接点ａ２およびａ３を有するスイッチであり、前記スイッチＢが１つの固定接点ｂ１および２つの可動接点ｂ２およびｂ３を有するスイッチＢであり、
前記スイッチＡの可動接点ａ２を前記スイッチＢの可動接点ｂ２またはｂ３に接続し、
前記可動接点ａ２と接続していない前記スイッチＢの可動接点を前記スイッチＡの可動接点ａ３に接続し、
前記スイッチＡの固定接点ａ１を照明器具の一端に接続し、
該照明器具の他端を電源線の一方に接続し、
該電源線の他方に前記スイッチＢの固定接点ｂ１を接続することを特徴とする請求項１記載の照明制御スイッチ。
【請求項３】
前記スイッチボックスが日本工業規格に規定されるスイッチボックスの寸法であることを特徴とする請求項１記載の照明制御スイッチ。
【発明の詳細な説明】
【技術分野】
【０００１】
本発明は照明制御スイッチに関し、特に新たな配線工事をすることなく既存の壁スイッチに取り付けできる照明制御スイッチに関する。
【背景技術】
【０００２】
建物内の壁に取り付けて照明器具をオンオフする壁スイッチの例を図５に示す。図５（ａ）は汎用されている手動の壁スイッチの例であり、図５（ｂ）は無線でオンオフできる市販されている壁スイッチの例である。
図５（ａ）に示すように、外部電柱５に架線されている電線３の一方の線３ａから引き込まれた電源線４ａは建物６の天井裏配線を経て照明器具２に直接接続されており、電線３の他方の線３ｂから引き込まれた電源線４ｂは壁スイッチ１’を経由して照明器具２に接続されている。壁スイッチ１’は電源線４ｂが壁スイッチ１’のオン側１’ａに接触しているときに通電して照明器具２が点灯する。また、電源線４ｂが壁スイッチ１’のオフ側１’ｂに接触しているときには照明器具２が消灯する。
【０００３】
図５（ｂ）に示すように、無線で操作できるようにした壁スイッチ１’’の場合、他方の電源線４ｂが壁スイッチ１’’のオン側１’’ａに接触しているときに通電して照明器具２が点灯し、他方の電源線４ｂが壁スイッチ１’’のオフ側１’’ｂに接触しているときには照明器具２が消灯するように、壁スイッチ１’’内に図示を省略した受信装置を組み込む。しかし、この受信装置に電力を供給するための配線９を新たに追加する必要があるが、通常この配線は天井裏配線などとして予め設けられていない。このため、図５（ａ）に示す既存の手動式壁スイッチを図５（ｂ）に示す無線方式の壁スイッチに変更しようとすることは新たな電気配線工事を必要とし、置き換えは実質不可能であるか、または極めて困難である。さらに、完全メカニカルな手動スイッチでのオフはできず、電気回路故障時には操作できないという問題がある。
【０００４】
新たな電気配線工事を必要としない照明制御スイッチとして、電波式ワイヤレススイッチボックスが知られている。このスイッチは、電波式のワイヤレス送信機と共に照明器具に使用されるワイヤレスのスイッチボックスであって、電波式のワイヤレス受信機と、手動スイッチと、ラッチングリレーからなるメインスイッチとを備えて、このメインスイッチが、ワイヤレス受信機と手動スイッチからの信号に応じてそれぞれが無関係に照明器具のオンとオフとを切り換える構成となっている（特許文献１）。
【０００５】
特許文献１に記載の電波式ワイヤレススイッチボックスは以下の動作によりメインスイッチのオンオフを切り換えている。すなわち、電波式ワイヤレス受信機が信号を受信すると、メインスイッチが反転動作を行ない、オンの時はオフになり、オフの時はオンになる。一方、手動スイッチが操作されると、同じくメインスイッチが反転動作を行ない、オンの時はオフになり、オフの時はオンになる。従って、電波式ワイヤレス送信機からの操作も手動スイッチからの操作も、互いに無関係に照明器具の電源のオンとオフを切り換えることができる構成となっている。
【０００６】
しかしながら、この電波式ワイヤレススイッチボックスはメインスイッチが無線信号と手動操作との両方で操作できるのみで、両者はオンとオフが同じ状態でないと作動しない、すなわち電気回路を一切介せず、手動スイッチでオンオフする機能がないという問題がある。
【０００７】
また、壁側のスイッチからも照明器具本体内のスイッチからも無条件で照明が点けられる照明器具として、第１の３路スイッチの３極の接点のうちのコモン極を電源の一方の極に接続して電源の他方の極を電球の一端に接続し、第１の３路スイッチの残りの２極は照明器具本体内の第２の３路スイッチのコモン極を除いた２極とそれぞれ接続し、第２の３路スイッチのコモン極を電球の他端に接続すると共に、電源の他方の極と電球との間を結ぶ配線の途中、および第１の３路スイッチの２極と第２の３路スイッチの２極とを結ぶ配線の途中には従来の２線式コネクタの電気的接点２組の中間に互いに接触する電気的接触棒と電気的接点を１組設けた３路用コネクタが挿入されている照明器具が知られている（特許文献２）。
【０００８】
しかしながら、この照明器具は、電源を照明器具側から得ているため、３路スイッチの一方を照明器具側に設ける必要があった。また、リモコンで操作するときはリモコンを照明器具側に向ける必要がある。このため、壁スイッチ側のみでリモコン操作および手動操作ができないという問題がある。
【先行技術文献】
【特許文献】
【０００９】
【特許文献１】特開平６−５３７０号公報
【特許文献２】特開２０００−２２８２６３号公報
【発明の概要】
【発明が解決しようとする課題】
【００１０】
本発明はこのような問題に対処するためになされたものであり、手動スイッチと無線スイッチ機能とを両立し、新たな電源線を配線することなく電池作動が可能で、また既存のスイッチボックスに容易に後付けできる照明制御スイッチの提供を目的とする。
【課題を解決するための手段】
【００１１】
本発明の照明制御スイッチは、２個のスイッチＡおよびスイッチＢから構成される３路スイッチが１個のスイッチボックスに内蔵されている照明制御スイッチであって、上記３路スイッチの一方を手動式スイッチとし、他方を無線で制御できる２巻きラッチングリレーとすることを特徴とする。
【００１２】
上記３路スイッチのスイッチＡが１つの固定接点ａ１、および２つの可動接点ａ２およびａ３を有するスイッチであり、同じくスイッチＢが１つの固定接点ｂ１、および２つの可動接点ｂ２およびｂ３を有するスイッチＢであり、スイッチＡとスイッチＢとは１つのスイッチボックス内で以下の方法で接続されている。
（１）スイッチＡの可動接点ａ２をスイッチＢの可動接点ｂ２またはｂ３に接続する、
（２）可動接点ａ２と接続していないスイッチＢの可動接点をスイッチＡの可動接点ａ３に接続する、すなわち、可動接点ａ２が可動接点ｂ２に接続しているときは可動接点ｂ３を可動接点ａ３に接続し、可動接点ａ２が可動接点ｂ３に接続しているときは可動接点ｂ２を可動接点ａ３に接続する。
（３）スイッチＡの固定接点ａ１を照明器具の一端に接続する、
（４）この照明器具の他端を電源線の一方に接続する、
（５）電源線の他方にスイッチＢの固定接点ｂ１を接続する。
【００１３】
また、上記スイッチボックスが日本工業規格に規定されるスイッチボックスの寸法であることを特徴とする。
【発明の効果】
【００１４】
本発明の照明制御スイッチは、１個のスイッチボックスに３路スイッチを構成するスイッチＡおよびスイッチＢが内蔵され、スイッチＡおよびスイッチＢの一方が手動式スイッチであり、他方を無線で制御できる２巻きラッチングリレーとするので、手動式スイッチと無線式スイッチとの２系統で照明器具を制御できる。また無線式スイッチとしてラッチングリレーを使用するので、待機時に電力を消費しないことから電池駆動が可能となる。さらに既存の壁面スイッチの規格内の寸法に回路を収めることで、新たな配線を設けることなく、既存のスイッチを本発明の照明制御スイッチに簡単に付け替えできる。
【図面の簡単な説明】
【００１５】
【図１】壁スイッチの例を概念的に表した図である。
【図２】照明制御スイッチの一例を示す分解図である。
【図３】照明制御スイッチのスイッチ構成図である。
【図４】照明制御スイッチのスイッチ動作状態を示す図である。
【図５】従来の壁スイッチの例を概念的に表した図である。
【発明を実施するための形態】
【００１６】
本発明の概念図を図１に示す。
図１は、建物内の壁に取り付けて照明器具をオンオフする壁スイッチの例を概念的に表した図である。
図１に示すように、外部電柱５に架線されている電線３の一方の電線３ａから引き込まれ、建物６の天井裏および壁面に配線されて天井裏配線等となる電源線４の一方の電源線４ａは照明器具２の一方の端子に直接接続されている。照明器具２に接続されている電源線４の他方の電源線４ｂは壁スイッチなどの照明制御スイッチ１を経由して電線３の他方の電線３ｂに接続されている。照明制御スイッチ１は手動スイッチＡおよび無線で制御できる２巻きラッチングリレーからなる無線スイッチＢから構成され、電源線４の一方の電源線４ａと他方の電源線４ｂとが照明器具２を介して接続されたときに照明器具２が点灯する。また、電源線４の一方の電源線４ａと他方の電源線４ｂとが接続されてないときは照明器具２が消灯する。
【００１７】
この照明制御スイッチ１は既存のスイッチボックスに容易に後付けできる寸法を有している。既存のスイッチボックスは、例えば日本工業規格ＪＩＳ Ｃ８３４０（電線管用金属製ボックス及びボックスカバー）に規定されるスイッチボックス等が挙げられる。本発明は、これら既存のスイッチボックスに容易に後付けできる寸法を有しているので、新たな配線を設けることなく簡単に付け替えできる。
【００１８】
照明制御スイッチの一例を図２に示す。図２に示す照明制御スイッチ１は、スイッチボックス１ａ、スイッチ本体１ｂ、スイッチカバー１ｃに分解することができる市販品の一例である。スイッチボックス１ａが壁面などに埋め込まれ、このスイッチボックス１ａの内部にスイッチ本体１ｂが取り付けられ、最後にスイッチカバー１ｃを取り付けることで照明制御スイッチ１となる。スイッチボックス１ａの有効サイズは、例えば、概ね幅５０ｍｍｘ高さ７０ｍｍであり、この有効サイズ内に収容できるスイッチ本体１ｂなどの部品構成とすることが好ましい。本発明においては、新たな配線を設けることなく、スイッチ本体１ｂを手動および無線スイッチに取り換えることで既存のスイッチボックス１ａおよびスイッチカバー１ｃはそのまま利用することができる。
【００１９】
照明制御スイッチ１のスイッチ構成図を図３に示す。
照明制御スイッチ１には、３路スイッチを構成する手動スイッチＡおよび無線スイッチＢが１個のスイッチボックスに内蔵されている。３は架線されている電線であり、３ｃは分電盤である。
スイッチＡは１つの固定接点ａ１および２つの可動接点ａ２およびａ３を有する手動スイッチである。図３において、スイッチＢの接続状態を図３に示すままで、手動操作により、スイッチＡの固定接点ａ１を可動接点ａ２に接続するとオンの状態となり照明器具２が点灯する。また、同じく固定接点ａ１を可動接点ａ３に接続するとオフの状態となり照明器具２が消灯することを表している。
【００２０】
スイッチＢは１つの固定接点ｂ１および２つの可動接点ｂ２およびｂ３を有する無線で制御できる２巻きラッチングリレーである。図３において、スイッチＡの接続状態を図３に示すままで、無線操作により、スイッチＢの固定接点ｂ１を可動接点ｂ２に接続するとオンの状態となり、固定接点ｂ１を切り替えて可動接点ｂ３に接続するとオフの状態となることを表している。２巻きラッチングリレーは励磁コイル７ａまたは７ｂを励磁することにより、固定接点ｂ１が可動接点ｂ２またはｂ３に接続される。ＢＬＥ ＣＰＵボード７は電池８により駆動される。
【００２１】
ＢＬＥ ＣＰＵボード７は、ＩＥＥＥ ８０２．１５として制定されている、または今後制定されるデジタル機器用の近距離無線通信規格の１つであるブルートゥースローエナジー（登録商標）に準拠する無線通信を可能とする基板である。この基板を用いることにより、ブルートゥースローエナジー（登録商標）搭載スマートフォンなどとの無線通信が容易にできる。例えば、初期設定の機器との紐付け（固有のＩＤ登録）の方法において、スマートフォンアプリでは、無線スイッチＢの電波強度を確認し、電波強度の強い機器を対象機器として認識することで、無線スイッチＢにスマホをかざして画面タッチという簡単な操作で紐づけを行なうことができる。その結果、紐づけされたスマートフォンを用いて照明器具２のスイッチのオンオフが容易にできる。
【００２２】
図４は、図３に示す照明制御スイッチ１のスイッチの動作状態を示す図である。図４（ａ）は、点灯状態（ａ−１）から消灯状態（ａ−２）への動作を示す図である。
図４（ａ）において、手動スイッチＡは固定接点ａ１が可動接点ａ２に接続されたままで、無線スイッチＢの固定接点ｂ１を可動接点ｂ２に接続することにより、電源線４ａおよび４ｂが照明器具２に接続されて、照明器具２が点灯する（ａ−１）。この状態で、無線スイッチＢの固定接点ｂ１を可動接点ｂ３に接続することにより、電源線４ａおよび４ｂが照明器具２に接続することができないので、照明器具２が消灯する（ａ−２）。
【００２３】
図４（ｂ）は、点灯状態（ｂ−１）から消灯状態（ｂ−２）への動作を示す図である。ここで、図４（ｂ）における（ｂ−１）は、照明器具２が点灯している（ａ−１）と同じ接続状態である。この（ｂ−１）の状態で、手動スイッチＡの固定接点ａ１を可動接点ａ３に接続することにより、電源線４ｂが照明器具２に接続されないことになり、照明器具２が消灯する（ｂ−２）。図４（ａ）および図４（ｂ）より、点灯状態において手動スイッチＡおよび無線スイッチＢのいずれかを切り替えることで照明器具２は消灯する。
【００２４】
図４（ｃ）は、消灯状態（ｃ−１）から点灯状態（ｃ−２）への動作を示す図である。ここで、図４（ｃ）における（ｃ−１）は、照明器具２が消灯している（ｂ−２）と同じ接続状態である。この（ｃ−１）の状態で、無線スイッチＢの固定接点ｂ１を可動接点ｂ３に接続することにより、電源線４ａおよび４ｂが照明器具２に接続されることにより、照明器具２が点灯する（ｃ−２）。なお、（ｃ−１）の状態で、無線スイッチＢの代わりに、手動スイッチＡの固定接点ａ１を可動接点ａ２に接続することにより、電源線４ａおよび４ｂが照明器具２に接続され、この接続状態は（ａ−１）の接続状態と同じになる。その結果、照明器具２が点灯する。図４（ｃ）より、消灯状態において手動スイッチＡおよび無線スイッチＢのいずれかを切り替えることで照明器具２は点灯する。
【００２５】
図４（ｄ）は、消灯状態（ｄ−１）から点灯状態（ｄ−２）への動作を示す図である。ここで、図４（ｄ）における（ｄ−１）は、照明器具２が消灯している（ａ−２）と同じ接続状態である。この（ｄ−１）の状態で、無線スイッチＢの固定接点ｂ１を可動接点ｂ２に接続することにより、電源線４ａおよび４ｂが照明器具２に接続されることにより、照明器具２が点灯する（ｄ−２）。なお、（ｄ−１）の状態で、無線スイッチＢの代わりに、手動スイッチＡの固定接点ａ１を可動接点ａ３に接続することにより、電源線４ａおよび４ｂが照明器具２に接続され、この接続状態は（ｃ−２）の接続状態と同じになる。その結果、照明器具２が点灯する。図４（ｄ）より、消灯状態において手動スイッチＡおよび無線スイッチＢのいずれかを切り替えることで照明器具２は点灯する。
【００２６】
図４においては、照明器具２の一方をスイッチＡの固定接点ａ１に接続していたが、固定接点ａ１の代わりに可動接点ａ２を照明器具２の一方の端子に接続することもできる。すなわち、固定接点ａ１と可動接点ａ２とを変更することができる。
【産業上の利用可能性】
【００２７】
本発明の照明制御スイッチは、市販の壁スイッチなどを置き換えるのに利用できる。
【符号の説明】
【００２８】
１  照明制御スイッチ
２  照明器具
３  電線
４  電源線
５  外部電柱
６  建物
７  ＢＬＥ ＣＰＵボード
８  電池
９  電力を供給するための新設配線
【図１】
2018129160.tif 000003
【図２】
2018129160.tif 000004
【図３】
2018129160.tif 000005
【図４】
2018129160.tif 000006
【図５】
2018129160.tif 000007